(57)【要約】【課題】  回路構成の簡素化と回路面積の低減とコストの削減とを図ることが可能な無線通信機器を提供する。【解決手段】  無線送信回路は、送信出力を１−ポートＲＦ出力あるいはハイバンド出力とローバンド出力との２−ポートＲＦ出力にまとめたＲＦＩＣ（１）と、マルチ通信方式及びマルチバンド送信に対応するための広帯域パワーアンプ（２１）と、広帯域パワーアンプの出力を各送信バンドに対応した信号パスに出力するバンドスイッチ（２４）と、各送信バンドにおいて広帯域パワーアンプの入力とＲＦＩＣの出力との間でマッチングを取る第１のマッチング補正回路（２２）及び各送信バンドにおいて広帯域パワーアンプの出力とバンドスイッチの入力との間でマッチングを取る第２のマッチング補正回路（２３）とを含む送信部分（２）とを有する。【選択図】      図１
2011182271.tif 000002
【特許請求の範囲】
【請求項１】
送信出力を１−ポートＲＦ（Ｒａｄｉｏ  Ｆｒｅｑｕｅｎｃｙ）出力あるいはハイバンド出力とローバンド出力との２−ポートＲＦ出力にまとめたＲＦＩＣ（Ｒａｄｉｏ  Ｆｒｅｑｕｅｎｃｙ  Ｉｎｔｅｇｒａｔｅｄ  Ｃｉｒｃｕｉｔ）と、
マルチ通信方式及びマルチバンド送信に対応するための広帯域パワーアンプと、前記広帯域パワーアンプの出力を各送信バンドに対応した信号パスに出力するバンドスイッチと、前記各送信バンドにおいて前記広帯域パワーアンプの入力と前記ＲＦＩＣの出力との間でマッチングを取る第１のマッチング補正回路及び前記各送信バンドにおいて前記広帯域パワーアンプの出力とバンドスイッチの入力との間でマッチングを取る第２のマッチング補正回路とを含む送信部分とを有することを特徴とする無線送信回路。
【請求項２】
前記第１及び第２のマッチング補正回路は、コイルとコンデンサと抵抗器との直列及び並列接続で構成されたマッチングネットワークであり、前記マルチ通信方式及びマルチバンド対応によって最適な接続と最適な定数とを設計によって決定することを特徴とする請求項１記載の無線送信回路。
【請求項３】
前記第１及び第２のマッチング補正回路の補正動作を前記ＲＦＩＣからの制御信号にて制御することを特徴とする請求項１または請求項２記載の無線送信回路。
【請求項４】
前記広帯域パワーアンプの少なくとも電源電圧とバイアス電圧とランプ電圧とを前記ＲＦＩＣからの制御信号にて制御して送信信号の最適化を図ることを特徴とする請求項１から請求項３のいずれか記載の無線送信回路。
【請求項５】
上記の請求項１から請求項４のいずれかに記載の無線送信回路を含むことを特徴とする無線通信機器。
【請求項６】
ＲＦＩＣ（Ｒａｄｉｏ  Ｆｒｅｑｕｅｎｃｙ  Ｉｎｔｅｇｒａｔｅｄ  Ｃｉｒｃｕｉｔ）の送信出力を１−ポートＲＦ（Ｒａｄｉｏ  Ｆｒｅｑｕｅｎｃｙ）出力あるいはハイバンド出力とローバンド出力との２−ポートＲＦ出力にまとめ、  マルチ通信方式及びマルチバンド送信に対応するための広帯域パワーアンプと、前記広帯域パワーアンプの出力を各送信バンドに対応した信号パスに出力するバンドスイッチとを送信部分に設け、
前記各送信バンドにおいて、前記広帯域パワーアンプの入力と前記ＲＦＩＣの出力との間でマッチングを取る第１のマッチング補正回路を前記広帯域パワーアンプの入力端に接続し、
前記各送信バンドにおいて前記広帯域パワーアンプの出力とバンドスイッチの入力との間でマッチングを取る第２のマッチング補正回路を前記広帯域パワーアンプの出力端に接続することを特徴とする無線送信回路の構成方法。
【請求項７】
前記第１及び第２のマッチング補正回路は、コイルとコンデンサと抵抗器との直列及び並列接続で構成されたマッチングネットワークであり、前記マルチ通信方式及びマルチバンド対応によって最適な接続と最適な定数とを設計によって決定することを特徴とする請求項６記載の無線送信回路の構成方法。
【請求項８】
前記第１及び第２のマッチング補正回路の補正動作を前記ＲＦＩＣからの制御信号にて制御することを特徴とする請求項６または請求項７記載の無線送信回路の構成方法。
【請求項９】
前記広帯域パワーアンプの少なくとも電源電圧とバイアス電圧とランプ電圧とを前記ＲＦＩＣからの制御信号にて制御して送信信号の最適化を図ることを特徴とする請求項６から請求項８のいずれか記載の無線送信回路の構成方法。
【発明の詳細な説明】
【技術分野】
【０００１】
本発明は無線送信回路、無線通信機器及びそれらに用いる無線送信回路の構成方法に関し、特にマルチ通信方式及びマルチバンドに対応した無線送信回路の構成方法に関する。
【背景技術】
【０００２】
近年、無線通信方式は、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）からＬＴＥ（Ｌｏｎｇ  Ｔｅｒｍ  Ｅｖｏｌｕｔｉｏｎ）まで進化し、無線通信機器に対して、マルチ通信方式、そしてマルチバンド対応の要求が挙げられる。
【０００３】
無線通信機器は、これらに対応するため、送信部分は各送信バンド毎にパワーアンプを設けている。１つのパワーアンプに対して、電源回路、配線、マッチング回路及び周辺制御回路も配置することによって、回路構成は複雑になり、回路面積は通信方式及び対応バンドを増やすことによって増加し、コストも増加する。
【０００４】
図２は典型的なマルチ通信方式及びマルチバンドに対応した送受信回路を示している。図２に示す送受信回路は、ＲＦＩＣ（Ｒａｄｉｏ  Ｆｒｅｑｕｅｎｃｙ  Ｉｎｔｅｇｒａｔｅｄ  Ｃｉｒｃｕｉｔ）６と、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）送受信回路７と、ＧＳＭ送受信回路８と、アンテナスイッチ９と、アンテナ１０とから構成されている。
【０００５】
ＷＣＤＭＡ送受信回路７は、パワーアンプ７１〜７３とデュプレクサ７４〜７６とを備え、複数のバンドで動作する。ＧＳＭ送受信回路８は、パワーアンプ８１，８２とデュプレクサ８３〜８５とを備え、複数のバンドで動作する。アンテナスイッチ９は、送受信バンドにあわせて、信号パスの切り替えを行う。
【０００６】
以下、上記の送受信回路における送受信動作について説明する。ここで、ＷＣＤＭＡ送受信回路７は、Ｂａｎｄ＃１、Ｂａｎｄ＃６、Ｂａｎｄ＃９を一例とし、ＧＳＭ送受信回路８は、ＥＧＳＭ（Ｅｘｔｅｎｄｅｄ  ＧＳＭ）９００（ＧＳＭの拡張方式）、ＤＣＳ１８００（Ｄｉｇｉｔａｌ  Ｃｏｍｍｕｎｉｃａｔｉｏｎ  Ｓｙｓｔｅｍ  １８００）（ディジタル携帯電話に用いられる無線通信方式）、ＰＣＳ（Ｐｅｒｓｏｎａｌ  Ｃｏｍｍｕｎｉｃａｔｉｏｎ  Ｓｅｒｖｉｃｅｓ）１９００（アメリカやカナダで用いられているディジタル携帯電話サービス）を一例としている。
【０００７】
ＦＤＤ（Ｆｒｅｑｕｅｎｃｙ  Ｄｉｖｉｓｉｏｎ  Ｄｕｐｌｅｘ：周波数分割複信）方式のＷＣＤＭＡのＢａｎｄ＃１が動作する場合、アンテナスイッチ９は、ＲＦＩＣ６からの制御信号６０１によって信号パスｓ１−ｓ４への切り替え動作を行う。
【０００８】
ＴＤＤ（Ｔｉｍｅ  Ｄｉｖｉｓｉｏｎ  Ｄｕｐｌｅｘ：時分割複信）方式のＧＳＭのＥＧＳＭ９００が動作する場合、送信動作と受信動作とは、時分割でアンテナスイッチ９の切り替えを行う。
【０００９】
ＥＧＳＭ９００の受信動作する場合、アンテナスイッチ９は、ＲＦＩＣ６からの制御信号６０１によって、信号パスｓ１−ｓ７への切り替え動作を行う。ＥＧＳＭ９００の送信動作する場合、アンテナスイッチ９は、ＲＦＩＣ６からの制御信号６０１によって、信号パスｓ１−ｓ５への切り替え動作を行う。ＥＧＳＭ９００の送受信動作は、時分割でこれらの繰り返し動作となる。
【００１０】
ＷＣＤＭＡ送受信回路７において、Ｂａｎｄ＃１、Ｂａｎｄ＃９、Ｂａｎｄ＃６の送信時に、各バンドに応じたパワーアンプ７１、パワーアンプ７２、パワーアンプ７３を使用する。ＦＤＤ方式のＷＣＤＭＡでは、送信動作と受信動作とが同時であるため、高レベル送信信号が受信回路に入力されないように、Ｂａｎｄ＃１、Ｂａｎｄ＃９、Ｂａｎｄ＃６にデュプレクサ７４、デュプレクサ７５、デュプレクサ７６を使用する。
【００１１】
ＧＳＭ送受信回路８は、ＥＧＳＭ９００、ＤＣＳ１８００、ＰＣＳ１９００の送信時に、各バンドに応じたパワーアンプ８１とパワーアンプ８２とを使用する。
【００１２】
上記のようなマルチ通信方式及びマルチバンドに対応した送受信回路の増幅器としては、下記の特許文献１に記載のような技術がある。但し、特許文献１に記載のような技術は、図２に示すような構成をとるものではなく、本発明に直接関連するものではない。
【先行技術文献】
【特許文献】
【００１３】
【特許文献１】特開２００８−１１３２０２号公報
【発明の概要】
【発明が解決しようとする課題】
【００１４】
現在、無線通信機器においては、マルチ通信方式及びマルチバンド通信に対応するため、ＲＦＩＣが各送信バンドに対して、ＲＦ（Ｒａｄｉｏ  Ｆｒｅｑｕｅｎｃｙ）信号の出力ポートを設け、各送信バンド周波数に応じるパワーアンプが設置されている。
【００１５】
現在の送信回路構成では、送信バンド増やすことによって、ＲＦ送信回路の素子数が増え、回路が複雑となり、回路面積が大きくなる。また、回路コストは、パワーアンプ及び周辺の素子数が増えることによって高くなる。一方、ＲＦ送信時、１つのバンドだけ動作する際に、他のパワーアンプはパワーオフ状態であるため、回路の利用効率は非常に低い。
【００１６】
そこで、本発明の目的は上記の問題点を解消し、回路構成の簡素化と回路面積の低減とコストの削減とを図ることができる無線送信回路、無線通信機器及びそれらに用いる無線送信回路の構成方法を提供することにある。
【課題を解決するための手段】
【００１７】
本発明による無線送信回路は、送信出力を１−ポートＲＦ（Ｒａｄｉｏ  Ｆｒｅｑｕｅｎｃｙ）出力あるいはハイバンド出力とローバンド出力との２−ポートＲＦ出力にまとめたＲＦＩＣ（Ｒａｄｉｏ  Ｆｒｅｑｕｅｎｃｙ  Ｉｎｔｅｇｒａｔｅｄ  Ｃｉｒｃｕｉｔ）と、
マルチ通信方式及びマルチバンド送信に対応するための広帯域パワーアンプと、前記広帯域パワーアンプの出力を各送信バンドに対応した信号パスに出力するバンドスイッチと、前記各送信バンドにおいて前記広帯域パワーアンプの入力と前記ＲＦＩＣの出力との間でマッチングを取る第１のマッチング補正回路及び前記各送信バンドにおいて前記広帯域パワーアンプの出力とバンドスイッチの入力との間でマッチングを取る第２のマッチング補正回路とを含む送信部分とを備えている。
【００１８】
本発明による無線通信機器は、上記の無線送信回路を含むことを特徴とする。
【００１９】
本発明による無線送信回路の構成方法は、ＲＦＩＣ（Ｒａｄｉｏ  Ｆｒｅｑｕｅｎｃｙ  Ｉｎｔｅｇｒａｔｅｄ  Ｃｉｒｃｕｉｔ）の送信出力を１−ポートＲＦ（Ｒａｄｉｏ  Ｆｒｅｑｕｅｎｃｙ）出力あるいはハイバンド出力とローバンド出力との２−ポートＲＦ出力にまとめ、  マルチ通信方式及びマルチバンド送信に対応するための広帯域パワーアンプと、前記広帯域パワーアンプの出力を各送信バンドに対応した信号パスに出力するバンドスイッチとを送信部分に設け、
前記各送信バンドにおいて、前記広帯域パワーアンプの入力と前記ＲＦＩＣの出力との間でマッチングを取る第１のマッチング補正回路を前記広帯域パワーアンプの入力端に接続し、
前記各送信バンドにおいて前記広帯域パワーアンプの出力とバンドスイッチの入力との間でマッチングを取る第２のマッチング補正回路を前記広帯域パワーアンプの出力端に接続している。
【発明の効果】
【００２０】
本発明は、上記のような構成及び動作とすることで、回路構成の簡素化と回路面積の低減とコストの削減とを図ることができるという効果が得られる。
【図面の簡単な説明】
【００２１】
【図１】本発明の実施の形態による無線通信機器の構成例を示すブロック図である。
【図２】本発明に関連する無線通信機器の構成例を示すブロック図である。
【発明を実施するための形態】
【００２２】
次に、本発明の実施の形態について図面を参照して説明する。まず、本発明による無線通信機器の概要について説明する。本発明による無線通信機器は、マルチ通信方式及びマルチバンドに対応する簡素化した無線送信回路により、回路の小型化を実現することを特徴とする。
【００２３】
無線通信回路は、ＲＦＩＣ（Ｒａｄｉｏ  Ｆｒｅｑｕｅｎｃｙ  Ｉｎｔｅｇｒａｔｅｄ  Ｃｉｒｃｕｉｔ）の送信出力が１−ポートＲＦ（Ｒａｄｉｏ  Ｆｒｅｑｕｅｎｃｙ）出力あるいはハイバンド出力とローバンド出力との２−ポートＲＦ出力にまとめ、そして、広帯域パワーアンプと入力及び出力のマッチング補正回路とを有することによって、無線通信回路の簡素化を図っている。また、無線通信回路は、パワーアンプ及び周辺回路の素子数を削減することによって、回路構成の簡素化と、回路面積の低減と、コストの削減とを図っている。
【００２４】
本発明による無線通信回路の構成は、ＲＦＩＣ、送信部分、アンテナスイッチの主に３つの回路部分で構成されている。送信部分は、広帯域パワーアンプ、第１及び第２のマッチング補正回路、バンドスイッチ、制御信号デコーダによって構成されている。
【００２５】
この回路構成では、広帯域パワーアンプ、第１及び第２のマッチング補正回路、１−ポートＲＦ出力を有するＲＦＩＣを使用することによって、無線通信回路の構成の簡素化を図る。
【００２６】
送信部分は、マルチ通信方式及びマルチバンド送信に対応するため、広帯域パワーアンプを使用する。各送信バンドにおいて、広帯域パワーアンプとＲＦＩＣとの間でマッチングを取るため、広帯域パワーアンプの入力端に第１のマッチング補正回路を配置する。各送信バンドにおいて、広帯域パワーアンプとバンドスイッチとの間でマッチングを取るため、広帯域パワーアンプの出力端に第２のマッチング補正回路を配置する。
【００２７】
第１及び第２のマッチング補正回路は、ＬＣＲ［コイル（Ｌ）、コンデンサ（Ｃ）、抵抗器（Ｒ）］の直列及び並列接続で構成されたマッチングネットワークである。マルチ通信方式及びマルチバンド対応によって最適な接続、最適な定数を設計によって決定し、実際の動作では、ＲＦＩＣからの制御信号による設定で切り替えて使用する。
【００２８】
ＲＦＩＣからの制御信号は、制御信号デコーダによってデコードされる。その信号を使用して、第１及び第２のマッチング補正回路の補正動作を制御する。さらに、デコードされた信号は、広帯域パワーアンプの電源電圧、バイアス電圧、ランプ電圧等を制御して送信信号の最適化を図り、規格を満たすことができる。ＲＦＩＣからの制御信号は、不揮発メモリ等に書き込んだ設計データ、事前調整データ、リアタイム制御信号、また動作帯域、通信方式等の情報とする。
【００２９】
ＲＦＩＣからの送信バンドに応じて送出された制御信号は、制御信号デコーダによってデコードされ、バンドスイッチを制御する。それによって、第２のマッチング補正回路から出力した信号は、送信バンドに対応した信号パスに出力される。
【００３０】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）送信信号は、バンドスイッチのスイッチングによってデュプレクサに出力される。
【００３１】
ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）送信信号は、バンドスイッチのスイッチングによってアンテナスイッチに出力される。
【００３２】
ＲＦＩＣの制御信号は、送信バンドに応じて、アンテナスイッチを制御する。それによって、各送信バンドの送信信号は、アンテナに出力される。
【００３３】
図１は本発明の実施の形態による無線通信機器の構成例を示すブロック図である。図１において、本発明の実施の形態による無線通信機器は、ＲＦＩＣ１と、送信部分２と、アンテナスイッチ４と、アンテナ５と、デュプレクサ３１〜３６とから構成されている。
【００３４】
送信部分２は、広帯域パワーアンプ２１と、マッチング補正回路２２，２３と、バンドスイッチ２４と、制御信号デコーダ２５とから構成されている。この回路構成では、広帯域パワーアンプ２１と、マッチング補正回路２２，２３と、１−ポートＲＦ出力を有するＲＦＩＣ１とを使用することによって、無線回路構成の簡素化を図っている。
【００３５】
本実施の形態では，マルチ通信方式及びマルチバンドに対応する簡素化した無線通信回路を実現するために、ＲＦＩＣ１の送信出力を１−ポートＲＦ出力あるいはハイバンドとローバンド出力との２−ポートＲＦ出力にまとめ、広帯域パワーアンプ２１とマッチング補正回路２２，２３と制御信号デコーダ２５とを有している。
【００３６】
送信部分２では、マルチ通信方式及びマルチバンド送信に対応するために、広帯域パワーアンプ２１を使用している。また、送信部分２では、各送信バンドにおいて、広帯域パワーアンプ２１とＲＦＩＣ１との間でマッチングを取るために、広帯域パワーアンプ２１の入力端にマッチング補正回路２２を配置している。
【００３７】
さらに、送信部分２では、各送信バンドにおいて、広帯域パワーアンプ２１とバンドスイッチ２４との間でマッチングを取るために、広帯域パワーアンプ２１の出力端にマッチング補正回路２３を配置している。
【００３８】
マッチング補正回路２２，２３は、ＬＣＲの直列及び並列接続で構成されたマッチングネットワークである。マッチング補正回路２２，２３においては、通信方式及びバンド対応によって最適な接続、最適な定数を設計によって決定し、実際の動作ではＲＦＩＣ１からの制御信号１０２による設定で切り替えて使用する。
【００３９】
ＲＦＩＣ１からの制御信号１０２は、制御信号デコーダ２５によってデコードされ、その信号を使用してマッチング補正回路２２，２３の補正動作が制御される。さらに、デコードされた信号は、広帯域パワーアンプ２１の電源電圧、バイアス電圧、ランプ電圧等を制御して送信信号の最適化を図り、規格を満たすことができる。
【００４０】
ＲＦＩＣ１からの制御信号１０２は、不揮発メモリ等に書き込んだ設計データ、事前調整データ、リアタイム制御信号、また動作帯域、通信方式等の情報とする。
【００４１】
ＲＦＩＣ１からの送信バンドに応じて送出された制御信号１０２は、制御信号デコーダ２５によってデコードされ、バンドスイッチ２４を制御する。それによって、マッチング補正回路２３から出力した信号は、送信バンドに対応した信号パスに出力される。
【００４２】
ＷＣＤＭＡ送信信号は、バンドスイッチ２４のスイッチングによって、デュプレクサ３１〜３３に出力される。ＧＳＭ送信信号は、バンドスイッチ２４のスイッチングによってアンテナスイッチ４に出力される。
【００４３】
ＲＦＩＣ１の制御信号１０１は、送信バンドに応じて、アンテナスイッチ４を制御する。それによって、各送信バンドの送信信号は、アンテナスイッチ４からアンテナ５に出力される。
【００４４】
次に、図１を参照して本実施の形態による無線通信機器についてさらに詳しく説明する。
【００４５】
本実施の形態では、各送信バンドにおいて、広帯域パワーアンプ２１とＲＦＩＣ１との間でマッチングを取るために、広帯域パワーアンプ２１の入力端にマッチング補正回路２２を配置している。マッチング補正回路２２は、広帯域パワーアンプ２１の入力端と接続され、ＲＦＩＣ１の出力と広帯域パワーアンプ２１の入力との整合をとる。
【００４６】
また、本実施の形態では、各送信バンドにおいて、広帯域パワーアンプ２１とバンドスイッチ２４との間でマッチングを取るために、広帯域パワーアンプ２１の出力端にマッチング補正回路２３を配置する。マッチング補正回路２３は、広帯域パワーアンプ２１の出力端と接続され、広帯域パワーアンプ２１の出力とバンドスイッチ２４の入力との整合をとる。
【００４７】
尚、送信部分２には、ＲＦＩＣ１からの制御信号１０２をデコードし、広帯域パワーアンプ２１、バンドスイッチ２４をそれぞれ制御する制御信号デコーダ２５を内蔵している。
【００４８】
ＷＣＤＭＡ送信信号は、広帯域パワーアンプ２１で増幅され、バンドスイッチ２４のスイッチングによってデュプレクサ３１〜３３に出力され、アンテナスイッチ４に出力される。ＧＳＭ送信信号は、広帯域パワーアンプ２１で増幅され、バンドスイッチ２４のスイッチングによってアンテナスイッチ４に出力される。
【００４９】
ＲＦＩＣ１の制御信号１０２は、バンドスイッチ２４と、パワーアンプ入力側のマッチング補正回路２２及びパワーアンプ出力側のマッチング補正回路２３とを制御する。ＲＦＩＣ１の制御信号１０１は、アンテナスイッチ４を制御する。
【００５０】
続いて、図１を参照して本発明の実施の形態による無線通信機器の動作について説明する。
【００５１】
ＲＦＩＣ１から出力されたＲＦ信号は、送信部分２の広帯域パワーアンプ２１に入力されて増幅される。本実施の形態では、広帯域パワーアンプ２１の入力とＲＦＩＣ１の出力との間のマッチングを取るために、マッチング補正回路２２を設け、広帯域パワーアンプ２１の出力とバンドスイッチ２４の入力との間のマッチングを取るために、マッチング補正回路２３を設けている。マッチング補正回路２２，２３においては、各素子のパラメータを各送信バンドの動作周波数に応じて設計している。
【００５２】
ＲＦＩＣ１からの制御信号１０２は、制御信号デコーダ２５によってデコードされる。マッチング補正回路２２，２３は、そのデコードされた信号によって、送信バンドに対応したマッチング素子のパラメータ、また回路形式を調整することが可能である。ＲＦＩＣ１からの制御信号１０２は、不揮発メモリ等に書き込んだ設計データ、事前調整データ、リアタイム制御信号、また動作帯域、通信方式等の情報とする。
【００５３】
さらに、制御信号デコーダ２５によってデコードされた信号は、広帯域パワーアンプ２１の電源電圧、バイアス電圧、ランプ電圧等を制御して、送信信号の最適化を図り、規格を満たすことができる。
【００５４】
広帯域パワーアンプ２１の出力信号は、バンドスイッチ２４に入力される。バンドスイッチ２４は、通信方式情報とバンド情報とによって切り替え動作を行う。
【００５５】
ＷＣＤＭＡ送信信号は、広帯域パワーアンプ２１で増幅され、バンドスイッチ２４のスイッチングによってデュプレクサ３１〜３３に出力され、アンテナスイッチ４に出力される。ＧＳＭ送信信号は、広帯域パワーアンプ２１で増幅され、バンドスイッチ２４のスイッチングによって、アンテナスイッチ４に出力される。
【００５６】
アンテナスイッチ４は、通信方式情報とバンド情報とによって、信号パスｓ１〜ｓ９の切り替え動作を行い、送信信号をアンテナ５に出力する。
【００５７】
このように、本実施の形態では，ＲＦＩＣ１の送信出力を１−ポートＲＦ出力あるいはハイバンド出力とローバンド出力との２−ポートＲＦ出力にまとめ、送信部分２を広帯域パワーアンプ２１とマッチング補正回路２２，２３とバンドスイッチ２４と制御信号デコーダ２５とによって構成することによって、複数のパワーアンプを広帯域パワーアンプ２１に集約して削減することで、回路構成の簡素化と、回路面積の低減と、コストの削減とを図ることができる。
【符号の説明】
【００５８】
１  ＲＦＩＣ
２  送信部分
４  アンテナスイッチ
５  アンテナ
２１  広帯域パワーアンプ
２２，２３  マッチング補正回路
２４  バンドスイッチ
２５  制御信号デコーダ
３１〜３６  デュプレクサ
１０１，１０２  制御信号
【図１】
2011182271.tif 000003
【図２】
2011182271.tif 000004